【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する演出表示装置を備え、該演出表示装置に特定表示結果が導出表示されたときに遊技状態を遊技者にとって有利な特定遊技状態に移行させ、特別条件が成立したときに遊技者にとって有利な特定遊技状態に移行させるとともに該特定遊技状態が終了した後に通常の遊技状態に比べて前記特定表示結果が導出表示されやすい状態である特別遊技状態に移行させる遊技機であって、
識別情報の可変表示の表示結果を前記特定表示結果とするか否かと、前記特別条件を成立させるか否かとを、可変表示の表示結果を導出表示する前に決定する事前決定手段と、
第１演出および第２演出を複数種類のうちから選択する演出選択手段と、
前記演出選択手段が選択した第１演出を前記演出表示装置において実行し、前記第１演出の後に、前記演出選択手段が選択した第２演出を前記演出表示装置において実行する演出実行手段とを備え、
前記演出選択手段は、前記事前決定手段が前記特別条件を成立させることに決定したときには、前記特別条件を成立させないことに決定したときに比べて、第１演出と第２演出が高い割合で特定の組み合わせとなるように演出の選択を行う
ことを特徴とする遊技機。
【手続補正２】
【補正対象書類名】明細書
【補正対象項目名】００２２
【補正方法】変更
【補正の内容】
【００２２】
演出実行手段が、識別情報の可変表示が行われているときに第１演出を実行し、当該第１演出を実行した後の当該識別情報の可変表示中において第２演出を実行し、演出選択手段が、事前決定手段が識別情報の可変表示の表示結果を特定表示結果とすることに決定したときと特定表示結果としないことに決定したときとで、複数種類のうちの少なくとも一の第１演出の選択割合を異ならせるように構成されている場合には、実行される第１演出の種類を、特別遊技状態に移行する期待度の高低に加えて、演出表示装置に特定表示結果が導出表示される期待度の高低に対応させることができる。また、第１演出と第２演出の特定の組み合わせによって特別条件が成立することの期待度を高くしつつ、表示結果が特定表示結果になる期待度を低くするといった種々の演出を実行することができ、遊技の興趣をさらに向上させることができる。
【手続補正３】
【補正対象書類名】明細書
【補正対象項目名】００２３
【補正方法】変更
【補正の内容】
【００２３】
演出実行手段が、特定遊技状態中において第１演出を実行し、当該第１演出を実行した後の当該特定遊技状態中において第２演出を実行するように構成されている場合には、特別遊技状態に移行することの報知が特定遊技状態において実行される第１演出と第２演出との組み合わせで実現され、特別遊技状態に移行することの報知演出の演出態様に変化が付いて遊技の興趣をより高めることができる。
【手続補正４】
【補正対象書類名】明細書
【補正対象項目名】００２４
【補正方法】変更
【補正の内容】
【００２４】
演出実行手段が、特定遊技状態の終了後に第１演出を実行し、当該第１演出を実行した後の当該特定遊技状態の終了後において第２演出を実行するように構成されている場合には、特別遊技状態に移行することの報知が特定遊技状態後において実行される第１演出と第２演出との組み合わせで実現され、特別遊技状態に移行することの報知演出の演出態様に変化が付いて遊技の興趣をより高めることができる。
【手続補正５】
【補正対象書類名】明細書
【補正対象項目名】００２５
【補正方法】変更
【補正の内容】
【００２５】
演出選択手段が、第１演出の種類を選択する第１演出種類選択手段と、第１演出種類選択手段が選択した第１演出の種類と、特別条件が成立するか否かとにもとづいて第２演出の種類を選択する第２演出選択手段とを含むように構成されている場合には、選択された第１演出の種類に応じた第２演出の種類を柔軟に選択することができる。例えば、第１演出の種類と特別条件が成立することの期待度との間に相関があるようにした場合に、期待度が低い第１演出に対して、特別条件が成立することの期待度が高い第１演出と第２演出の組み合わせになるように第２演出の種類を選択することによって、第１演出の実行中では期待度は低いが第２の演出の実行が開始されると期待度が高くなるといった演出を実行することができる。
【手続補正６】
【補正対象書類名】明細書
【補正対象項目名】００２６
【補正方法】変更
【補正の内容】
【００２６】
演出選択手段が、第１演出種類選択手段が選択した第１演出の種類を特定可能なデータを演出種類記憶手段に設定する第１演出種類保存手段を含み、第２演出選択手段が、演出種類記憶手段に設定されているデータにもとづいて第２演出の種類を選択するように構成されている場合には、選択された第１演出の種類に応じた第２演出の種類を柔軟に選択することができる。
【手続補正７】
【補正対象書類名】明細書
【補正対象項目名】００２７
【補正方法】変更
【補正の内容】
【００２７】
演出制御手段における第１演出種類選択手段が、特別条件特定コマンドにもとづいて第１演出の種類を選択し、演出制御手段における第２演出種類選択手段が、第１演出種類選択手段が選択した第１演出の種類と特別条件特定コマンドとにもとづいて第２演出を選択するように構成されている場合には、遊技制御手段の昇格演出に関する処理負担を軽減できる。
【手続補正８】
【補正対象書類名】明細書
【補正対象項目名】００２８
【補正方法】変更
【補正の内容】
【００２８】
コマンド出力手段が、特別条件特定コマンドとして、第１演出種類選択手段が第１演出の種類を選択する時期と第２演出種類選択手段が第２演出の種類を選択する時期のそれぞれにおいて、事前決定手段の決定結果にもとづく識別情報の可変表示の表示結果を特定可能な表示結果特定コマンドを出力し、第１演出種類選択手段が、表示結果特定コマンドにもとづいて第１演出の種類を選択し、第２演出種類選択手段が、第１演出種類選択手段が選択した第１演出の種類と表示結果特定コマンドとにもとづいて第２演出の種類を選択するように構成されている場合には、演出選択手段は、最初に遊技制御手段から出力された表示結果特定コマンドを保存しておく必要はなく、演出制御手段の処理が簡略化される。また、最初に遊技制御手段から出力された表示結果特定コマンドが受信されなかったような場合でも、第２演出の種類を選択する時期に出力された表示結果特定コマンドにもとづいて第２演出を開始することができるようになる。
【手続補正９】
【補正対象書類名】明細書
【補正対象項目名】００２９
【補正方法】変更
【補正の内容】
【００２９】
コマンド出力手段が、特別条件特定コマンドとして、識別情報の可変表示が行われるときに、演出表示装置の表示画面における背景部を特別遊技状態または非特別遊技状態に対応する態様にすることを指定する背景指定コマンドを出力する背景指定コマンド出力手段を含み、第１演出種類選択手段と第２演出種類選択手段の少なくとも一方は、背景指定コマンドにもとづいて演出の種類を選択するように構成されている場合には、遊技制御手段から出力されるコマンドの種類を増やすことなく、第１演出と第２演出とによる上記の効果を得ることができる。また、特定遊技状態終了後に第２演出が実行され、次の識別情報の可変表示開始後に第２演出の種類を選択するように構成されている場合には、表示結果特定コマンドにもとづいて第２演出の種類を選択する場合に比べて選択制御が容易になる。表示結果特定コマンドにもとづいて第２演出の種類を選択する場合には、特定遊技状態が開始される前の可変表示に関わる表示結果特定コマンドにもとづいて第２演出の種類を選択すべきであるから、次の識別情報の可変表示に関わる表示結果特定コマンドにもとづいて第２演出の種類を選択しないようにする制御が必要になるからである。